(57)【特許請求の範囲】
【請求項１】
石製の墓本体と、該墓本体の前に設けられ上面に物を載置可能な天板を有した石製の供物台とを備え、該供物台を、前側に開放する開口を有し燃焼物が収容されて燃焼させられる収容空間が形成されるとともに該開口を開閉する開閉扉を有した香炉部と、該香炉部の左右両側に夫々連設され花が生けられる容器が差し込まれる花生空間が形成された花立て部とを備えて構成した墓において、
上記収容空間と花生空間とを仕切る内方壁に形成され上記収容空間と上記花生空間とを連通する第一通気孔と、上記花立て部を構成する外気に面した外方壁であって上記第一通気孔よりも下位に設けられ上記花生空間と外気とを連通する第二通気孔とを備えて構成したことを特徴とする墓。
【請求項２】
上記第一通気孔及び第二通気孔を、上記花生空間に上記容器が差し込まれたとき該容器の底面よりも下位の位置に形成したことを特徴とする請求項１記載の墓。
【請求項３】
上記第二通気孔の上記花生空間側の開口部を、該花生空間の最下面に連続させて形成するとともに、該第二通気孔を接地面に平行若しくは接地面に向けて傾斜させて形成したことを特徴とする請求項１または２記載の墓。
【請求項４】
上記天板に、上記収容空間と外気とを連通し該収容空間の内気を排出する排気孔を設け、該排気孔に、排出される内気を導く屋根付きの排気塔を設けたことを特徴とする請求項１乃至３何れかに記載の墓。
【発明の詳細な説明】
【技術分野】
【０００１】
本発明は、石製の墓本体の前に設けられ上面に物を載置可能な石製の供物台を備えた墓に係り、特に、前側に開口を有しローソクや線香等の燃焼物が収容されて燃焼させられる収容空間が形成されるとともに開口を開閉する開閉扉を有した香炉部及び花が生けられる花生空間が形成された花立て部を備えてなる供物台を備えた墓に関する。
【背景技術】
【０００２】
従来、この種の墓としては、例えば、特許文献１（特開２００５−２４０５３９号公報）に記載されたものが知られている。
図８に示すように、この墓Ｇａは、石製の墓本体の前に設けられ上面に物を載置可能な石製の供物台１００を備えて構成されている。供物台１００は、前側に開放する開口１０１を有しローソクや線香等の燃焼物が収容されて燃焼させられる収容空間１０２が形成されるとともに開口１０１を開閉する開閉扉１０３を有した香炉部１０４と、香炉部１０４の左右両側に夫々連設され花が生けられる容器が差し込まれる花生空間が形成された花立て部１０５とを備えて構成されている。
香炉部１０４は、その収容空間１０２が、開閉扉１０３と、開閉扉１０３に対向する矩形状の奥板１０６と、奥板１０６の各辺に設けられる側板１０７とで囲繞されて形成されており、この収容空間１０２にローソク立て１０８及び線香立て１０９が設けられている。また、開閉扉１０３には、収容空間１０２と外気とを連通する通気孔１１０が複数形成されており、奥板１０６には、その上部に、収容空間１０２と外気とを連通する通気孔１１１が複数形成されている。
【０００３】
このように構成された墓Ｇａに墓参りをするときは、開閉扉１０３を開にし、例えば、燃焼物としてのローソクをローソク立て１０８に立てて点火する。次に、このローソクの火を利用する等して線香に点火し、この線香を線香立て１０９に立てる。その後、開閉扉１０３を閉にする。この状態では、ローソクや線香は収容空間１０２内で燃焼させられるようになる。この燃焼においては、開閉扉１０３の通気孔１１０及び奥板１０６の通気孔１１１を通して収容空間１０２内に外気が流入するとともに内気が排気される。通気孔１１０、１１１により、外気と内気とが通気されるので、ローソクや線香等の燃焼物の燃焼が行なわれる。
【先行技術文献】
【特許文献】
【０００４】
【特許文献１】特開２００５−２４０５３９号公報
【発明の概要】
【発明が解決しようとする課題】
【０００５】
しかしながら、この従来の墓Ｇａにおいては、開閉扉１０３及び奥板１０６に通気孔１１０、１１１を形成しているので、外気が収容空間１０２に直線的に流入するようになり、そのため、外気が乱れて強風になった場合等、収容空間１０２内に外気が急激に入り込むようになるので、それだけ、入り込む外気の風圧により収容空間１０２内のローソクや線香等の燃焼物が消火しやすいという問題があった。また、雨天の日には、外気だけでなく、雨水も通気孔１１０、１１１から収容空間１０２内に入るようになるので、この点でも、収容空間１０２内のローソクや線香等の燃焼物が消火しやすいという問題があった。更に、開閉扉１０３に通気孔１１０を形成しているので、閉時には、墓本体の前側に通気孔１１０が見えるようになり、そのため、外観品質が損なわれるという問題もある。
【０００６】
本発明は、このような問題点に鑑みてなされたもので、収容空間に安定的に外気を流入させるとともに雨水の浸入を防止して燃焼物の燃焼を良く行なわせるようにし、外観品質の向上を図った墓を提供することを目的とする。
【課題を解決するための手段】
【０００７】
このような目的を達成するため、本発明の墓は、石製の墓本体と、該墓本体の前に設けられ上面に物を載置可能な天板を有した石製の供物台とを備え、該供物台を、前側に開放する開口を有し燃焼物が収容されて燃焼させられる収容空間が形成されるとともに該開口を開閉する開閉扉を有した香炉部と、該香炉部の左右両側に夫々連設され花が生けられる容器が差し込まれる花生空間が形成された花立て部とを備えて構成した墓において、上記収容空間と花生空間とを仕切る内方壁に形成され上記収容空間と上記花生空間とを連通する第一通気孔と、上記花立て部を構成する外気に面した外方壁であって上記第一通気孔よりも下位に設けられ上記花生空間と外気とを連通する第二通気孔とを備えて構成している。
【０００８】
これにより、墓参りをするときは、開閉扉を開にし、ローソクや線香等の燃焼物を収容空間内に立てて点火する。その後、開閉扉を閉にする。この状態では、ローソクや線香等の燃焼物は収容空間内で燃焼させられるようになる。この燃焼においては、例えば、第一通気孔及び第二通気孔を左右の花生空間に対して夫々設けた場合においては、例えば左右いずれか一方の第一通気孔及び第二通気孔から収容空間内に外気が流入するとともに、左右いずれか他方の第一通気孔及び第二通気孔から内気が排気される。この場合、外気は、第二通気孔から花立て部の花生空間に流入し、その風圧により直進しようとするが、内方壁に衝突して花生空間内を滞留し、第一通気孔から香炉部の収容空間に流入するようになる。即ち、第一通気孔と第二通気孔とはクランクに形成されているので、外気が乱れて強風になった場合等でも、外気は内方壁に衝突して花生空間内を滞留することから、風圧の影響を抑制することができ、それだけ、収容空間に安定的に外気を流入させることができる。一方、収容空間の内気は、第一通気孔から花生空間に流出し、花生空間内を滞留して第二通気孔から排気されるようになる。そのため、香炉部の収容空間に安定的に外気を流入させることができるとともに、収容空間の内気を排気させることができるので、通気が安定して行なわれるようになり、それだけ、収容空間の換気が安定且つ円滑に行なわれるようになるので、ローソクや線香等の燃焼物を収容空間に収容した状態でも、燃焼物の燃焼を良く行なわせることができる。
【０００９】
また、例えば雨天の日に、花生空間と容器との間に生じる間隙から花生空間に雨水が入り込んだ場合、この入り込んだ雨水は花生空間の最下面から溜まっていくことがあるが、収容空間に連通している第一通気孔よりも外気に連通している第二通気孔の方が下位に設けられているので、雨水が溜まったとしても、この雨水は第二通気孔から排水されるようになり、そのため、花生空間に入り込んだ雨水が第一通気孔から収容空間に浸入する事態を防止でき、この点でも、ローソクや線香等の燃焼物を収容空間に収容した状態でも、燃焼物の燃焼を良く行なわせることができる。
更に、第二通気孔を花立て部の外方壁に設けたので、外観品質を損なうことがなく、そのため、開閉扉に通気孔を形成した場合に比較して、外観品質を向上させることができる。
また、開閉扉を閉にした状態において、収容空間内に安定的に外気を流入させることができるとともに雨水が浸入する事態を防止することができるので、墓参りしない常時には、開閉扉を閉にしておくことにより、ローソクや線香等を香炉部に収納しておくことができ、この収納したローソクや線香等を風雨から保護することができる。
【００１０】
そして、必要に応じ、上記第一通気孔及び第二通気孔を、上記花生空間に上記容器が差し込まれたとき該容器の底面よりも下位の位置に形成した構成としている。
これにより、外気が第二通気孔から花生空間を経由して第一通気孔に至るまでに、その進路を容器によって邪魔されることがなく、また、収容空間からの内気も第一通気孔から花生空間を経由して第二通気孔に至るまでに、その進路を容器によって邪魔されることがないので、外気と内気との通気性を向上させることができる。
【００１１】
また、必要に応じ、上記第二通気孔の上記花生空間側の開口部を、該花生空間の最下面に連続させて形成するとともに、該第二通気孔を接地面に平行若しくは接地面に向けて傾斜させて形成した構成としている。
これにより、雨天の日に、花生空間と容器との間に生じる間隙から花生空間に雨水が入り込んでも、この入り込んだ雨水は即座に第二通気孔から外部に排水されるようになる。即ち、花生空間に雨水が溜まらないので、花立て部を清潔に使用することができる。
【００１２】
更に、必要に応じ、上記天板に、上記収容空間と外気とを連通し該収容空間の内気を排出する排気孔を設け、該排気孔に、排出される内気を導く屋根付きの排気塔を設けた構成としている。
これにより、第一通気孔が内方壁に設けられ、排気孔が天板に設けられることになるので、収容空間の内気は、下から上に向かう上昇気流となり、そのため、より一層外気と内気との換気が円滑に行なわれるようになる。また、排気孔には排気塔が設けられているので、この排気塔が煙突として機能し、そのため、より一層外気と内気との換気が円滑に行なわれるようになる。更に、排気塔は屋根付きなので、排気孔から雨水が収容空間に浸入する事態を防止することができる。更にまた、排気塔を設けることにより、全体の見栄えが良くなるので、外観品質を向上させることができる。
【発明の効果】
【００１３】
本発明の墓によれば、ローソクや線香等の燃焼物を収容空間内で燃焼させると、外気は第二通気孔から流入し花生空間を通して第一通気孔から収容空間内に流入していく。この場合、花生空間に流入した外気は内方壁に衝突して花生空間内を滞留しながら収容空間に流入するので、外気の風圧の影響を抑制することができ、収容空間に安定的に外気を流入させることができる。一方、収容空間の内気は、第一通気孔から花生空間に流出し、花生空間内を滞留しながら第二通気孔から排気されるようになる。そのため、香炉部の収容空間に安定的に外気を流入させることができるとともに、収容空間の内気を排気させることができるので、通気が安定して行なわれるようになり、それだけ、収容空間の換気が安定且つ円滑に行なわれるようになり、ローソクや線香等の燃焼物を収容空間に収容した状態でも、燃焼物の燃焼を良く行なわせることができる。
【００１４】
また、雨天の日に、花生空間と容器との間に生じる間隙から花生空間に雨水が入り込んだ場合、この入り込んだ雨水は花生空間の最下面から溜まっていくことがあるが、収容空間に連通している第一通気孔よりも外気に連通している第二通気孔の方が下位に設けられているので、雨水が溜まったとしても、この雨水は第二通気孔から排水されるようになり、そのため、花生空間に入り込んだ雨水が第一通気孔から収容空間に浸入する事態を防止でき、この点でも、ローソクや線香等の燃焼物を収容空間に収容した状態でも、燃焼物の燃焼を良く行なわせることができる。更に、第二通気孔を花立て部の外方壁に設けたので、外観品質を損なうことがなく、そのため、開閉扉に通気孔を形成した場合に比較して、外観品質を向上させることができる。
【図面の簡単な説明】
【００１５】
【図１】本発明の実施の形態に係る供物台を示す正面断面図である。
【図２】本発明の実施の形態に係る墓を示す斜視図である。
【図３】本発明の実施の形態に係る供物台を示す分解斜視図である。
【図４】本発明の実施の形態に係る供物台を示す斜視図である。
【図５】本発明の実施の形態に係る供物台をその使用状態で示す斜視図である。
【図６】本発明の別の実施の形態に係る供物台を示す正面断面図である。
【図７】本発明の別の実施の形態に係る供物台を示す分解斜視図である。
【図８】従来の墓の一例を示し、（Ａ）は供物台をその使用状態で示す斜視図、（Ｂ）は供物台を示す斜視図である。
【発明を実施するための形態】
【００１６】
以下、添付図面に基づいて本発明の実施の形態に係る墓を説明する。
図１乃至図５には、本発明の実施の形態に係る墓Ｇを示している。本墓Ｇは、石製の墓本体１と、墓本体１の前に設けられ上面１１ａに物を載置可能な天板１１を有した石製の供物台１０とを備えて構成されている。
【００１７】
供物台１０は、前側に開放する開口２１ａを有し燃焼物Ｆが収容されて燃焼させられる収容空間２１が形成されるとともに開口２１ａを開閉する開閉扉２２を有した香炉部２０と、香炉部２０の左右両側に夫々連設され花が生けられる容器３２が差し込まれる花生空間３１が形成された花立て部３０とを備えて構成されている。本実施の形態では、供物台１０は、接地面に設置された基礎２上に設けられる台板１２を備えて構成され、この台板１２上に、香炉部２０及び花立て部３０がその収容空間２１と花生空間３１とを仕切る内方壁１３を介して連設されて一体に設けられ、この香炉部２０及び花立て部３０の上方に天板１１が一体に設けられている。
【００１８】
香炉部２０は、台板１２の中央部と、台板１２に立設される一対の内方壁１３と、台板１２の中央部に立設され一対の内方壁１３間に設けられる開閉扉２２と、一対の内方壁１３間に設けられ開閉扉２２と対向する後側壁２３と、一対の内側壁１３及び後側壁２３の上部に設けられる天板１１の中央部とで構成され、これらで囲繞されて収容空間２１が形成されている。この収容空間２１には、燃焼物ＦとしてのローソクＦａを立てるローソク立て２４及び燃焼物Ｆとしての線香Ｆｂを立てる線香立て２５が収容されている。
また、開閉扉２２は、台板１２の中央部，一対の内方壁１３，天板１１に嵌着される枠体２６と、枠体２６に例えば蝶番２７を介して開閉可能に設けられる扉部２８とを備えて構成されている。扉部２８は、金属製の枠状フレーム２８ａと、このフレーム２８ａに嵌め込まれ収容空間２１内が見えるガラス板や樹脂板からなる透明板２８ｂとから構成されている。符号２８ｃは、扉部２８を構成し扉部２８を開閉させるためのノブであり、符号２９は、閉じた扉部２８のフレーム２８ａの端部を拘束しておくマグネット型のロック部である。
【００１９】
花立て部３０は、四角柱状の石製のブロックで構成されており、上面から内部を掘削して花生空間３１が形成されている。この花生空間３１は、その深さが、容器３２の深さよりも深く形成されている。この花立て部３０は、収容空間２１を挟んで一対設けられ、対向する壁面３３ａを有する壁部３３が、内方壁１３として構成されている。この内方壁１３には、収容空間２１と花生空間３１とを連通する第一通気孔３４が設けられている。この第一通気孔３４は、実施の形態では、一対の内方壁１３に夫々設けられ、接地面に平行に形成されるとともに、花生空間３１に容器３２が差し込まれたとき容器３２の底面３２ａよりも下位の位置に形成されている。
【００２０】
また、この花立て部３０の外気に面した外方壁３５には、花生空間３１と外気とを連通する第二通気孔３６が設けられている。この第二通気孔３６は、花生空間３１に容器３２が差し込まれたとき容器３２の底面３２ａよりも下位の位置であって第一通気孔３４よりも下位に設けられている。実施の形態では、前から見て左側に位置する花立て部３０に設けられた第二通気孔３６は、その外気側の開口部３６ａが前から見て左側の外気に臨んで形成されており、前から見て右側に位置する花立て部３０に設けられた第二通気孔３６は、その外気側の開口部３６ａが前から見て右側の外気に臨んで形成されている。また、この第二通気孔３６は、その花生空間３１側の開口部３６ｂが、花生空間３１の最下面３１ａに連続して形成されているとともに、接地面に平行に形成されている。
【００２１】
また、この供物台１０の天板１１には、収容空間２１と外気とを連通し収容空間２１の内気を排出する排気孔１４が設けられている。この排気孔１４は、天板１１の略中央に設けられ、軸線を垂直とする断面円形状に形成されている。
【００２２】
更に、排気孔１４には、排出される内気を導く屋根付きの排気塔１５が設けられている。この排気塔１５は、排気孔１４に差し込まれる筒状の差込部１６と、差込部１６に連設され筒状かつ網状に形成されて空気を通過させる網状体１７と、網状体１７に被冠された屋根部１８とを備えて構成されている。差込部１６の外側には、排気孔１４の内面に弾接して差込部１６を押えるばね部材１６ａが等角度関係で複数設けられている。また、差込部１６と網状体１７との境界部には、差込部１６と排気孔１４との隙間を覆う鍔１９が設けられている。
更にまた、天板１１の内側面には、遮熱材１１ｂが被覆されている。この遮熱材１１ｂは、アルミニウム等の金属製のテープであって、天板１１の内側面に接着剤を介して貼着されている。その他、遮熱材１１ｂとしては、表面が鏡面の金属板や石綿等、適宜のものが用いられる。
【００２３】
従って、この実施の形態に係る墓Ｇに墓参りするときは、例えば、供物台１０の天板１１の上面１１ａに供物を供えるとともに、容器３２に水を入れて花立て部３０の花生空間３１に差し込み、この容器３２に花を生ける。そして、香炉部２０の開閉扉２２を開にし、ローソクＦａをローソク立て２４に立てて点火し、このローソクＦａの火を利用する等して線香Ｆｂに点火して、この線香Ｆｂを線香立て２５に立てる。その後、開閉扉２２を閉にする。この状態では、ローソクＦａや線香Ｆｂは収容空間２１内で燃焼させられるようになる。この燃焼においては、第一通気孔３４及び第二通気孔３６を左右の花生空間３１に対して夫々設けているので、左右いずれか一方の第一通気孔３４及び第二通気孔３６から収容空間２１内に外気が流入するとともに、左右いずれか他方の第一通気孔３４及び第二通気孔３６と排気孔１４とから内気が排気される。外気と内気とを通気させて収容空間２１内を換気させることにより燃焼物Ｆを燃焼させることができる。
【００２４】
詳しくは、外気は、第二通気孔３６から花立て部３０の花生空間３１に流入し、その風圧により直進しようとするが、内方壁１３に衝突して花生空間３１内を滞留し、第一通気孔３４から香炉部２０の収容空間２１に流入するようになる。即ち、第一通気孔３４と第二通気孔３６とはクランクに形成されているので、外気が乱れて強風になった場合等でも、外気は内方壁１３に衝突して花生空間３１内を滞留することから、風圧の影響を抑制することができ、それだけ、収容空間２１に安定的に外気を流入させることができる。
【００２５】
一方、収容空間２１の内気は、第一通気孔３４から花生空間３１に流出し、花生空間３１内を滞留して第二通気孔３６から排気されるとともに、排気孔１４から排気塔１５を通って排気されるようになる。この場合、排気孔１４から排気される内気は、第一通気孔３４が内方壁１３に設けられ排気孔１４が天板１１に設けられているので、下から上に向かう上昇気流となり、そのため、外気と内気との換気が円滑に行なわれるようになる。この際、排気塔１５が煙突として機能するようになるので、より一層外気と内気との換気が円滑に行なわれるようになる。
【００２６】
即ち、香炉部２０の収容空間２１に安定的に外気を流入させることができるとともに、収容空間２１の内気を円滑に排気させることができるので、通気が安定して行なわれるようになり、それだけ、収容空間２１の換気が安定且つ円滑に行なわれるようになるので、ローソクＦａや線香Ｆｂ等の燃焼物Ｆを収容空間２１に収容した状態でも、燃焼物Ｆの燃焼を良く行なわせることができる。また、本実施の形態では、花生空間３１の深さが容器３２の深さよりも深く形成されているとともに第一通気孔３４及び第二通気孔３６が容器３２の底面３２ａよりも下位の位置に形成されているので、外気が第二通気孔３６から花生空間３１を経由して第一通気孔３４に至るまでに、その進路を容器３２によって邪魔されることがなく、また、収容空間２１からの内気も第一通気孔３４から花生空間３１を経由して第二通気孔３６に至るまでに、その進路を容器３２によって邪魔されることがないので、外気と内気との通気性を向上させることができる。
【００２７】
また、例えば、雨天の日等には、花生空間３１と容器３２との間に生じる間隙から花生空間３１に雨水が入り込むことがあるが、この場合、収容空間２１に連通している第一通気孔３４よりも外気に連通している第二通気孔３６の方が下位に設けられているとともに、第二通気孔３６の花生空間３１側の開口部３６ｂが花生空間３１の最下面３１ａに連続形成されているので、この入り込んだ雨水は花生空間３１の最下面３１ａに溜まらずに即座に第二通気孔３６から外部に排水されるようになる。
【００２８】
即ち、花生空間３１に入り込んだ雨水が第一通気孔３４から収容空間２１に浸入する事態を防止できるので、ローソクＦａや線香Ｆｂ等の燃焼物Ｆを収容空間２１に収容した状態でも、燃焼物Ｆの燃焼を良く行なわせることができる。また、花生空間３１に雨水が溜まらないので、花立て部３０を清潔に使用することができる。
【００２９】
また、排気孔１４には屋根付きの排気塔１５が設けられているので、排気孔１４から雨水が収容空間２１に浸入する事態を防止することができ、この点でも、燃焼物Ｆの燃焼を良く行なわせることができる。
【００３０】
更に、第二通気孔３６を花立て部３０の外方壁３５に設けたので、外観品質を損なうことがなく、そのため、開閉扉２２に通気孔を形成した場合に比較して、外観品質を向上させることができる。特に、本実施の形態のように、前から見て左側に位置する花立て部３０に設けられた第二通気孔３６の外気側の開口部３６ａが前から見て左側の外気に臨んで形成されるとともに、前から見て右側に位置する花立て部３０に設けられた第二通気孔３６の外気側の開口部３６ａが前から見て右側の外気に臨んで形成されている場合には、前から第二通気孔３６が見えないようになるので、より一層外観品質を向上させることができる。更にまた、排気塔１５を設けることにより、全体の見栄えが良くなり、そのため、より一層外観品質を向上させることができる。
【００３１】
そして、墓参りが終了したならば、開閉扉２２を開にし、ローソクＦａや線香Ｆｂ等を収容空間２１に収容して、開閉扉２２を閉にし、ローソクＦａや線香Ｆｂ等を香炉部２０の収容空間２１に収納する。開閉扉２２を閉にした状態においては、収容空間２１内に安定的に外気が流入するとともに雨水が浸入する事態を防止することができるので、墓参りしない常時に、ローソクＦａや線香Ｆｂ等を香炉部２０に収納しておくことができ、この収納したローソクＦａや線香Ｆｂ等を風雨から保護することができる。
【００３２】
図６及び図７には、本発明の別の実施の形態に係る墓Ｇを示している。この墓Ｇは、台板１２上に、香炉部２０及び花立て部３０がその収容空間２１と花生空間３１とを仕切る内方壁１３を介して連設されて載置され、この香炉部２０及び花立て部３０の上方に天板１１が載置されている。
【００３３】
香炉部２０は、台板１２の中央部と、台板１２に立設される一対の側壁２０ａと、台板１２の中央部に立設され一対の側壁２０ａ間に設けられる開閉扉２２と、一対の側壁２０ａ間に設けられ開閉扉２２と対向する後側壁２３と、一対の側壁２０ａ及び後側壁２３の上部に設けられる天板１１の中央部とで構成され、これらで囲繞されて収容空間２１が形成されている。
花立て部３０は、四角柱状の石製のブロックで構成されており、上面から内部を掘削して花生空間３１が形成されている。この花立て部３０は、香炉部２０を挟んで一対設けられている。
【００３４】
この場合、内方壁１３は、香炉部２０を構成する一対の側壁２０ａと、花立て部３０を構成し側壁２０ａに連設される壁面３３ａを有する壁部３３とで構成され、この内方壁１３に設けられる第一通気孔３４は、側壁２０ａと壁部３３とを連通して形成されている。
その他の構成，作用，効果は、上記実施の形態と同様である。
【００３５】
尚、本実施の形態において、第一通気孔３４を接地面に平行に設けたが、必ずしもこれに限定されるものではなく、接地面に向けて傾斜形成しても良く、また、天板１１に向けて傾斜形成しても良く、適宜変更して差支えない。
また、本実施の形態において、第二通気孔３６を接地面に平行に設けたが、必ずしもこれに限定されるものではなく、接地面に向けて傾斜形成しても良く、適宜変更して差支えない。
更に、本実施の形態において、開閉扉２２の枠体２６と扉部２８とを蝶番２７を用いて接続したが、必ずしもこれに限定されるものではなく、開閉可能に接続できれば良く、適宜変更して差支えない。
【００３６】
尚また、本実施の形態において、第一通気孔３４を一対の内方壁１３に夫々設けたが、必ずしもこれに限定されるものではなく、一対の内方壁１３のいずれか一方のみに設けても良く、適宜変更して差し支えない。この場合、第二通気孔３６は、第一通気孔３４が設けられている側の花立て部３０に設けてあれば良く、第一通気孔３４が設けられていない側の花立て部３０には必ずしも設けなくても良い。
【符号の説明】
【００３７】
Ｇ  墓
Ｆ  燃焼物
Ｆａ  ローソク
Ｆｂ  線香
１  墓本体
２  基礎
１０  供物台
１１  天板
１２  台板
１３  内方壁
１４  排気孔
１５  排気塔
１６  差込部
１６ａ  ばね部材
１７  網状体
１８  屋根部
１９  鍔
２０  香炉部
２１  収容空間
２２  開閉扉
２３  後側壁
２４  ローソク立て
２５  線香立て
２６  枠体
２７  蝶番
２８  扉部
２９  ロック部
３０  花立て部
３１  花生空間
３２  容器
３３  壁部
３３ａ  壁面
３４  第一通気孔
３５  外方壁
３６  第二通気孔
【図１】
0005393303.tif 000002
【図２】
0005393303.tif 000003
【図３】
0005393303.tif 000004
【図４】
0005393303.tif 000005
【図５】
0005393303.tif 000006
【図６】
0005393303.tif 000007
【図７】
0005393303.tif 000008
【図８】
0005393303.tif 000009